(57)【特許請求の範囲】
【請求項１】
現在位置の座標を取得する現在位置取得手段と、
任意の地点の座標と、該地点に関連するメモ情報とを対応付けて入力する入力手段と、
前記入力手段により入力された地点の座標と、該地点に関するメモ情報とを対応付けて記憶する記憶手段と、
任意の通信端末装置に前記メモ情報を送信する通信手段と、
これら各手段を制御する制御手段とを備え、
前記制御手段は、前記現在位置取得手段により取得される現在位置の座標と前記記憶手段に記憶されている地点の座標とを比較し、現在位置が該地点に近づいたと判定した後、さらに現在位置が該地点から離れたと判定した場合に、その離れた時点で前記記憶手段に記憶されているメモ情報を前記通信手段より前記通信端末装置に送信することを特徴とする携帯情報端末。
【請求項２】
請求項１に記載の携帯情報端末であって、
利用者に報知するための報知手段をさらに備え、
前記制御手段は、現在位置が該地点に近づいたと判定した後、さらに現在位置が該地点から離れたと判定した場合に、その離れた時点で前記報知手段により離れたことを知らせる報知を行うことを特徴とする携帯情報端末。
【請求項３】
前記入力手段は、任意の地点の座標と、該地点に関連するメモ情報と、さらに、電話番号やメールアドレスなどの送信先を対応付けて入力し、
前記通信手段は、前記送信先に前記メモ情報を送信することを特徴とする請求項１または請求項２に記載の携帯情報端末。
【請求項４】
現在位置の座標を取得する現在位置取得手段と、任意の地点の座標と該地点に関連するメモ情報とを対応付けて入力する入力手段と、前記入力手段により入力された地点の座標と該地点に関するメモ情報とを対応付けて記憶する記憶手段と、任意の通信端末装置に前記メモ情報を送信する通信手段と、これら各手段を制御する制御手段とを備えた携帯情報端末のナビゲーション方法であって、
前記制御手段は、
前記現在位置取得手段により取得される現在位置の座標と前記記憶手段に記憶されている地点の座標とを比較するステップと、
比較の結果、現在位置が該地点に近づいたと判定した後、さらに現在位置が該地点から離れたと判定した場合に、その離れた時点で前記記憶手段に記憶されているメモ情報を前記通信手段より前記通信端末装置に送信するステップと、
を実行することを特徴とする携帯情報端末のナビゲーション方法。
【請求項５】
請求項４に記載の携帯情報端末のナビゲーション方法であって、
前記携帯情報端末は、利用者に報知するための報知手段をさらに備え、
前記制御手段は、比較の結果、現在位置が該地点に近づいたと判定した後、さらに現在位置が該地点から離れたと判定した場合に、その離れた時点で前記報知手段により離れたことを知らせる報知を行わせるステップを実行することを特徴とする携帯情報端末のナビゲーション方法。
【発明の詳細な説明】
【０００１】
【発明の属する技術分野】
本発明は、個人で持ち運び、自分がしなければならない作業項目を管理するために使用する携帯情報端末に関し、特に、特定の地点や設備でしなければならない作業項目を記憶し、特定の地点や設備に近づいたり、そこから離れることを検出して利用者に報知したり、通信を行うことによって利用者以外の者に位置や状態を通知するなどの処理を行う携帯情報端末及びそのナビゲーション方法に関する。
【０００２】
【従来の技術】
従来の携帯情報端末には、利用者がしなければならない作業項目を管理するために、作業項目の開始日、期限日、重要度を指定して記録するための機能（いわゆる、アクションリスト）が搭載されているものがあった。利用者は、アクションリストで未処理の作業項目を重要度の高い順に表示させ、期限を過ぎていないかを時々確認して、利用者が作業項目を思い出せるようにしていた。また、確認時に、すでに完了した作業項目にチェックを付けて未処理の作業項目リストから除外するようにしていた。
【０００３】
また、従来の携帯情報端末には、予定を管理するために、日時を指定して予定を記憶し、予定の日付や時間を思い出させるために利用者に報知する（アラーム）ための機能（いわゆる、スケジュール）が搭載されているものがあった。利用者は、スケジュールを利用して特定の日時がすでに予定で埋まっていないかを確認したり、アラーム音により予定時刻に報知させることで、利用者に予定のあることを思い出させるようにしていた。また、スケジュールとアクションリストとが連動しており、開始日から期限日までの間、作業項目がスケジュールにも表示されるものもあった。
【０００４】
一方、スケジュールと場所とを関連付けて処理する技術として、以下に示す種々の技術が提案されている。
【０００５】
例えば、特開平１０−１２４４６４号公報（以下、文献１という）に記載のものは、通信機能を持つ情報処理装置であって、予定の開始時刻、場所、相手のデータを含んだスケジュールを予め登録しておく。そして、現在位置と現在時刻とを取得することにより、自分が予定の場所から遠い地点にいて、開始時刻までに予定の場所に着かないと判定すると、スケジュールに登録された相手に対してメッセージを送信するようになっている。
【０００６】
また、特開平１０−１８７６２５号公報（以下、文献２という）に記載のものは、スケジュール管理システムであって、各ユーザからそれぞれのスケジュール情報を入力するスケジュール情報入力手段と、各ユーザの現在位置を検出する位置検出手段と、各ユーザに所定メッセージを通知する通知手段と、カレンダー機能を有する時計手段と、管理手段とを備え、現在時刻とスケジュール情報の時間情報とがほぼ一致し、かつ、あらかじめ設定されている場所と現在位置とが不一致である場合に、ユーザに所定メッセージを送信するようになっている。
【０００７】
また、位置表示システムに関する従来技術として、特開２０００−１１２３４７号公報（以下、文献３という）に記載の情報処理装置がある。この情報処理装置は、特定の地点を示す地名情報を含む地図情報を表示し、地図情報から地名情報を抽出し、利用者が入力する名称やサービス内容などの対象情報に対応する地名情報を記憶し、地図から抽出した地名情報の示す地点が記憶している地名情報の示す地点と接近していると判定すると報知したり、対象情報を表示するようになっている。
【０００８】
【発明が解決しようとする課題】
しかしながら、従来のアクションリストは、利用者に報知する手段がないため、利用者が作業を行うべき場所に近づいても、作業項目に気づくことなく通り過ぎてしまうといった問題があった。
【０００９】
また、通常のスケジュールは特定の日時に報知したり、文献１、２のものでは特定の日時に利用者が登録した場所にいない場合に報知するようにすることができるが、作業項目がいつ行ってもよい作業であって、特定の場所のみに結びついているような場合は利用できないといった問題があった。
【００１０】
また、文献３のものは、地図情報に必ず地名情報を含ませる必要があるため、利用者は必ず対象情報の地名を含んで入力する必要があり、対象情報の地名を入力できないような場合には利用できないといった問題があった。
【００１１】
本発明はかかる問題点を解決すべく創案されたもので、その目的は、特定の地点に近づいた後、離れたときに自動的に通信を行い、場所や設備に関連付けられたメモを送信することのできる携帯情報端末及びそのナビゲーション方法を提供することにある。
【００１２】
上記課題を解決するため、本発明の携帯情報端末は、現在位置の座標を取得する現在位置取得手段と、任意の地点の座標と、該地点に関連するメモ情報とを対応付けて入力する入力手段と、前記入力手段により入力された地点の座標と、該地点に関するメモ情報とを対応付けて記憶する記憶手段と、任意の通信端末装置に前記メモ情報を送信する通信手段と、これら各手段を制御する制御手段とを備え、前記制御手段は、前記現在位置取得手段により取得される現在位置の座標と前記記憶手段に記憶されている地点の座標とを比較し、現在位置が該地点に近づいたと判定した後、さらに現在位置が該地点から離れたと判定した場合に、その離れた時点で前記記憶手段に記憶されているメモ情報を前記通信手段より前記通信端末装置に送信することを特徴とする。すなわち、前記制御手段は、前記現在位置取得手段により取得される現在位置の座標と前記記憶手段に記憶されている地点の座標とを比較するステップと、比較の結果、現在位置が該地点に近づいたと判定した後、さらに現在位置が該地点から離れたと判定した場合に、その離れた時点で前記記憶手段に記憶されているメモ情報を前記通信手段より前記通信端末装置に送信するステップと、を実行する。
【００１３】
このような特徴を有する本発明によれば、特定の設定地点の座標に関連するメモ情報（例えば、特定の設定地点において行うべき作業項目）を記憶手段に記憶しておき、制御手段は、現在位置取得手段により取得される現在位置の座標と記憶手段に記憶されている設定地点の座標とを比較し、現在位置が該地点に近づいたと判定した後、さらに現在位置が該地点から離れたと判定した場合に、その離れた時点で記憶手段に記憶されているメモ情報を通信手段より通信端末装置に送信する。これにより、特定の地点から離れたときに、利用者の操作を要せずして、自動的にメモ情報を特定の通信端末装置に送信することが可能となる。
【００１４】
また、本発明の携帯情報端末は、利用者に報知するための報知手段をさらに備え、前記制御手段は、前記現在位置取得手段により取得される現在位置の座標と前記記憶手段に記憶されている地点の座標とを比較し、現在位置が該地点に近づいたと判定した後、さらに現在位置が該地点から離れたと判定した場合に、その離れた時点で前記報知手段により離れたことを知らせる報知を行うことを特徴とする。すなわち、前記制御手段は、前記現在位置取得手段により取得される現在位置の座標と前記記憶手段に記憶されている地点の座標とを比較するステップと、比較の結果、現在位置が該地点に近づいたと判定した後、さらに現在位置が該地点から離れたと判定した場合に、その離れた時点で前記報知手段により離れたことを知らせる報知を行わせるステップを、さらに実行する。
【００１５】
このような特徴を有する本発明によれば、特定の設定地点の座標に関連するメモ情報（例えば、特定の設定地点において行うべき作業項目）を記憶手段に記憶しておき、制御手段は、現在位置取得手段により取得される現在位置の座標と記憶手段に記憶されている設定地点の座標とを比較し、現在位置が該地点に近づいたと判定した後、さらに現在位置が該地点から離れたと判定した場合に、その離れた時点で報知手段により離れたことを知らせる報知を行う。このように、特定の地点から離れたときに利用者に報知することにより、作業項目を利用者に思い出させることが可能となる。
【００２０】
また、本発明の携帯情報端末によれば、前記入力手段は、任意の地点の座標と、該地点に関連するメモ情報と、さらに、電話番号やメールアドレスなどの送信先を対応付けて入力し、前記通信手段は、前記送信先に前記メモ情報を送信する構成としてもよい。
【００２２】
【発明の実施の形態】
以下、本発明の実施の形態について、図面を参照して説明する。
【００２３】
［参考例１］
本参考例１の携帯情報端末１０ａは、要約すると、記憶手段に記憶されている地図を表示手段に表示し、利用者によって入力手段から指示入力された設定地点の経緯度を、入力手段で入力されたメモ情報と関連付けて記憶手段に記憶しておく。そして、現在位置取得手段から定期的に位置情報の経緯度を取得し、指示入力された設定地点と現在位置との距離を算出し、所定の距離以内に近づいた場合に、接近したと判定して、報知手段により利用者に報知し、表示手段により記憶手段に記憶されているメモ情報を表示するようになっている。以下、具体的に説明する。
【００２４】
図１は、本参考例１の携帯情報端末１０ａの電気的構成を示すブロック図である。
【００２５】
携帯情報端末１０ａは、ＧＰＳ衛星からの電波を受信して該端末１０ａの位置情報を算出する現在位置取得手段１１と、地図やメモ情報などを表示するための例えば液晶パネルとそのドライバなどで構成される表示手段１２と、液晶パネルの上に重ねて置かれる透明のタブレットとＡ／Ｄコンバータなどから構成され、利用者がペンなどでタブレット上をタップしたり、なぞることによって、タブレットの電気抵抗の変化をＡ／Ｄコンバータで座標値に変換することにより、設定地点やメモ情報を座標値、図形、テキストとして入力させる入力手段１３ａと、地図や入力された設定地点やメモ情報を記憶する記憶手段１４ａと、ブザーやＬＥＤや振動部材などで構成され、音や光や振動などを発生して利用者の注意を喚起する報知手段１５と、これら各手段の動作を制御する制御手段１６ａとを少なくとも含んで構成される。その他の機能ブロックとしては、例えばキーや電池などを含んでいてもよいが、これらの機能ブロックの動作は本参考例１においては重要ではないので、ここでは図示を省略している。
【００２６】
記憶手段１４ａは、例えばランダムアクセス可能なＲＡＭと読み出し専用のＲＯＭとから構成され、利用者から入力された設定地点やメモ情報はＲＡＭに、地図はＲＯＭに格納されている。ただし、地図は、書き換え可能なＲＡＭやフラッシュＲＯＭ等に格納するようにしてもよい。
【００２７】
制御手段１６ａは、例えば中央演算処理装置（ＣＰＵ）と、制御プログラムを格納した読み出し専用メモリであるＲＯＭと、一時的にデータを格納するランダムアクセスメモリであるＲＡＭとから構成される。なお、上記の記憶手段１４ａは、制御手段１６ａのＲＯＭやＲＡＭの一部を充ててもよい。
【００２８】
図２は、地図のデータ構造と地図データの例を示す図表である。すなわち、表示に使用するビットマップと、ビットマップの左上と右下の各地点の緯度および経度と、ビットマップの横幅および高さとを要素として持っている。例えば、東経１４０．１００度から１４０．２００度まで、および北緯３５．０５０度から３５．０６０度までが、横６４０ドット×縦４８０ドットのビットマップで表される場合の地図データは、図２のように表される。
【００２９】
図１４は、特定の地点と、その地点に関連するメモ情報とを入力する画面例を示している。利用者が、同図（ａ）に示す位置入力画面上の１点Ａをタップすると、その位置に星印が表示され、続けて同図（ｂ）のメモ入力画面に切り替わり、例えば「クリーニング受け取り」と文字入力してから登録ボタン２１を利用者がタップすると、入力されたメモ情報が記憶手段１４ａに記憶される。
【００３０】
図３は、利用者が入力画面上の１点をタップして設定地点を指定したときに、画面上の座標値から、当該地点の経緯度を算出する方法を表した概念図である。
【００３１】
図３において、地図および画面共に、左上を原点とし、右方向と下方向をそれぞれｘ軸とｙ軸の正方向とする。
【００３２】
ここで、地図のビットマップの横幅と高さをそれぞれＭｘ、Ｍｙ（ドット）、画面の横幅と高さをそれぞれＳｘ、Ｓｙ（ドット）とし、画面の左上点が地図上のＰｘ、Ｐｙ（ドット）の点であるとすると、画面座標のＸ、Ｙの点は、地図上の座標でそれぞれＸ＋Ｐｘ、Ｙ＋Ｐｙ（ドット）になる。地図上の左上点と右下点の経度がそれぞれＸ１、Ｘ２、左上点と右下点の緯度がそれぞれＹ１、Ｙ２であったとすると、当該地点の経度は、Ｘ１×（１−（Ｘ＋Ｐｘ）／Ｍｘ）＋Ｘ２×（Ｘ＋Ｐｘ）／Ｍｘ、同様に緯度は、Ｙ１×（１−（Ｙ＋Ｐｙ）／Ｍｙ）＋Ｙ２×（Ｙ＋Ｐｙ）／Ｍｙ、として地図上の左上点と右下点の経度、緯度の線形補間により求めることができる。
【００３３】
記憶手段１４ａには、このようにして求めた設定地点の経度、緯度と、メモ情報とを関連付けて記憶する。
【００３４】
図４は、設定値のデータ構造を表す図表である。設定値は、設定地点の経緯度、表示するメモの型、メモのサイズ、メモの内容を格納したアドレスを要素に持つ。メモの型としては、例えばビットマップ、テキストなどを指定することができる。例えば、設定地点が東経１４０．１４０度、北緯３５．０５７度、テキストで「クリーニング受け取り」という１９バイトのメモを設定する。なお、西経や南緯は負の数値で表す。
【００３５】
図５は、接近判定をして近づいたと判定したときに報知してメモ情報を表示する処理を説明するためのフローチャートである。以下、図５に示すフローチャートを参照して処理手順を説明する。
【００３６】
ステップＳ１１では、現在位置取得手段１１によって現在位置を取得し、ステップＳ１２では、取得できたかを調べる。その結果、現在位置を取得できなかった場合（ステップＳ１２でＮｏと判断された場合）には、ステップＳ１１に戻る。一方、現在位置を取得できた場合（ステップＳ１２でＹｅｓと判断された場合）には、ステップＳ１３へと動作を進めて、設定地点の経緯度などの設定値を取得し、ステップＳ１４では、設定値が取得できたかを調べる。その結果、すべての設定値を取り出し終わってそれ以上取り出せなかった場合には、処理を終了する。
【００３７】
一方、設定値を取得できた場合（ステップＳ１４でＹｅｓと判断された場合）にはステップＳ１５ヘと動作を進め、現在位置と設定地点との距離が、閾値以下であるかを調べる。その結果、閾値より大きければステップＳ１３に戻り、閾値以下ならステップＳ１６へと動作を進める。そして、ステップＳ１６では、現在位置が設定地点に接近したことをＬＥＤとブザー（振動も含む）で利用者に報知し、記憶手段１４ａからメモ情報を取り出してメモの型に応じて表示手段１２に表示し、ステップＳ１３に戻る。この処理では、設定値が取り出せなくなるまで、取り出しては判定を行うようにしているため、複数の設定値を設定しておくことができる。
【００３８】
例えば、クリーニング店に寄って出来上がった服を受け取りたいときに、図１４に示すように、そのクリーニング店の位置を画面上に表示した地図上の点Ａをペンでタップすることによって指定し、「クリーニング受け取り」の作業項目のメモ情報を文字入力しておくと、そのクリーニング店に近づいたときにブザーを鳴らし、図１５に示すように、画面上に「クリーニング受け取り」のメモ情報を表示して利用者に知らせるといった使い方ができる。
【００３９】
［実施形態］
本実施形態の携帯情報端末１０ｂは、要約すると、利用者によって入力手段から指示されると、現在位置手段手段で取得した現在位置の経緯度を、入力手段で入力されたメモ情報や電話番号やメールアドレスと関連付けて記憶手段に記憶しておく。そして、現在位置取得手段から定期的に位置情報の経緯度を取得し、指示入力された設定地点と現在位置との距離を算出し、所定の距離以内に近づいた場合に接近したと判定して、記憶手段内に接近フラグをセットし、続けて取得した現在位置が、設定地点から前記距離より少し大きい所定の距離以上になった場合に、設定地点を離れたと判定して、あらかじめ記憶した電話番号やメールアドレスに通信手段を使ってメールやショートメッセージを送信するようになっている。以下、具体的に説明する。
【００４０】
図６は、本実施形態の携帯情報端末１０ｂの電気的構成を示すブロック図である。
【００４１】
携帯情報端末１０ｂは、ＧＰＳ衛星からの電波を受信して該端末１０ｂの位置情報を算出する現在位置取得手段１１と、ボタンやキーなどの入力手段１３ｂと、入力された設定地点やメモ情報や電話番号やメールアドレスを記憶する記憶手段１４ｂと、メールやショートメッセージを送信する通信手段１７と、これら各手段の動作を制御する制御手段１６ｂとを少なくとも含んで構成される。その他の機能ブロックとしては、表示手段、報知手段、電池などを含んでいてもよいが、これらの機能ブロックの動作は本実施形態においては重要ではないので、ここでは図示を省略している。
【００４２】
本実施形態において入力手段１３ｂは、ボタンやキーなどとし、現在位置取得手段１１で取得した現在位置の経緯度をキー操作により記憶手段１４ｂに記憶させる構成としている。これは、本実施形態では、地図の表示に耐え得るような表示手段を具備していないためであり、精細な液晶パネルなどの表示手段がある場合には、上記参考例１のように表示手段１４ａで地図を表示させてタブレットやキーなどでカーソルを動かして地図上の地点を指示してもよい。
【００４３】
また、本実施形態において、記憶手段１４ｂは、例えばランダムアクセス可能なＲＡＭで構成され、設定地点の経緯度や、電話番号や、メールアドレスやメモ情報などを記憶する。ただし、書き換え可能なフラッシュＲＯＭを用いてもよい。
【００４４】
本実施形態において、ショートメッセージや電子メールを送受信するための通信手段１７は、無線通信モジュールとして実現され、その内部は例えばアンテナ、発振回路、変調回路、中央演算処理装置（ＣＰＵ）、プロトコル処理スタックやメッセージ送受信アプリケーションプログラムなどを格納した読み出し専用メモリであるＲＯＭ、処理に使う一時的にデータを格納するランダムアクセスメモリであるＲＡＭなどから構成される。なお、その詳細な説明は、本実施形態では特に重要な部分ではないので、ここでは省略する。また、通信手段１７は、携帯情報端末に内蔵している必要はなく、携帯情報端末に外部カードスロットを備えておき、無線モジュールをそのスロットに挿入して通信可能な構成としてもよい。
【００４５】
また、本実施形態において、制御手段１６ｂは、例えば中央演算処理装置（ＣＰＵ）と、制御プログラムを格納した読み出し専用メモリであるＲＯＭと、一時的にデータを格納するランダムアクセスメモリであるＲＡＭとから構成される。なお、上記の記憶手段１４ｂは、制御手段１６ｂのＲＯＭやＲＡＭの一部を充ててもよい。
【００４６】
図７は、記憶手段１４ｂに記憶する設定値のデータの例を示す図表である。すなわち、設定地点の経緯度と、閾値Ａと、閾値Ｂと、電話番号と、メールアドレスと、メモとを要素として持っている。例えば、東経１４０．１４０度、北緯３５．０５７度を設定地点とし、接近判定の閾値Ａを１０メートル、遠ざかった判定の閾値Ｂを３０メートルとし、０９０−１２３４−ＸＸＸＸの番号の携帯電話にショートメッセージを送信し、アドレスＸＸＸＸ＠ＡＡＡ．ｎｅ．ｊｐに電子メールを送信する。
【００４７】
図８は、設定地点に近づいたと判定した後で、離れたと判定したときにメモ情報を送信する処理を説明するためのフローチャートである。以下、図８に示すフローチャートを参照して処理手順を説明する。
【００４８】
ステップＳ２１では、現在位置取得手段１１によって現在位置を取得し、ステップＳ２２では、取得できたかを調べる。その結果、現在位置を取得できなかった場合（ステップＳ２２でＮｏと判断された場合）には、ステップＳ２１に戻る。一方、現在位置を取得できた場合（ステップＳ２２でＹｅｓと判断された場合）には、ステップＳ２３へと動作を進めて、設定地点の経緯度などの設定値を取得し、ステップＳ２４では、設定値が取得できたかを調べる。その結果、すべての設定値を取り出し終わってそれ以上取り出せなかった場合には、処理を終了する。
【００４９】
一方、設定値を取得できた場合（ステップＳ２４でＹｅｓと判断された場合）にはステップＳ２５ヘと動作を進め、接近フラグが立っているかを調べる。そして、接近フラグが立っている場合（ステップＳ２５でＹｅｓと判断された場合）には、ステップＳ２８へと動作を進め、接近フラグが立っていない場合（ステップＳ２５でＮｏと判断された場合）には、ステップＳ２６へと動作を進める。
【００５０】
ステップＳ２６では、現在位置と設定地点との距離が閾値Ａ以下かを調べる。
そして、閾値Ａより大きければ（ステップＳ２６でＮｏと判断されれば）ステップＳ２３に戻り、閾値Ａ以下であれば（ステップＳ２６でＹｅｓと判断されれば）ステップＳ２７へと動作を進める。そして、ステップＳ２７では、接近フラグを立てて、ステップＳ２３に戻る。
【００５１】
一方、ステップＳ２８では、現在位置と設定地点との距離が閾値Ｂ以上かを調べる。そして、閾値Ｂより小さければ（ステップＳ２８でＮｏと判断されれば）ステップＳ２３に戻り、閾値Ｂ以上であればステップＳ２９へと動作を進め、接近フラグをクリアして、電話番号とメールアドレスに対してメモ情報を送信し、ステップＳ２３に戻る。
【００５２】
ここで、閾値Ｂは閾値Ａよりも大きい値とする。例えば、設定地点として小売店を考えたときは、閾値Ａを１０メートル、閾値Ｂを３０メートルなどのように小さく取ればよいが、駅のホームを考えたときには、閾値Ａを５０メートル、閾値Ｂを１００メートルといった具合に大きくとる必要がある。また、上記の処理動作では、報知は行っていないが、ブザーやＬＥＤや振動部材などの報知手段を設けて通信時に利用者に報知してもよい。
【００５３】
本実施形態の携帯情報端末１０ｂによれば、例えば会社を設定地点とし、自宅の電話番号を記憶手段１４ｂに記憶させると、会社を出るときに自動的に自宅に電話をかけて帰宅を知らせることができる。また、自分で電話をかけることの難しい年齢の児童に本携帯情報端末１０ｂを持たせて、幼稚園や小学校や塾からの帰宅を親に知らせることもできる。
【００５４】
［参考例２］
本参考例２の携帯情報端末１０ｃは、要約すると、利用者によって入力手段から入力された対象物の名称とメモ情報とを関連付けて記憶手段に記憶しておき、通信手段を通じてサーバ上の所在地データベースを検索して最寄りの対象物の経緯度を得て記憶手段に記憶する。そして、現在位置取得手段から定期的に位置情報の経緯度を取得し、最寄りの対象物と現在位置との距離を算出し、所定の距離以内に近づいた場合に接近したと判定して、報知手段により利用者に報知し、記憶手段に記憶されているメモ情報と対象物の場所とを表示手段に表示するようになっている。以下、具体的に説明する。
【００５５】
図９は、本参考例２の携帯情報端末１０ｃの電気的構成を示すブロック図である。
【００５６】
携帯情報端末１０ｃは、ＧＰＳ衛星からの電波を受信して該端末１０ｃの位置情報を算出する現在位置取得手段１１（参考例１，及び実施形態と同じ）と、地図やメモ情報などを表示するための例えば液晶パネルとそのドライバなどで構成される表示手段１２（上記参考例１と同じ）と、液晶パネルの上に重ねて置かれる透明のタブレットとＡ／Ｄコンバータなどから構成され、利用者がペンなどでタブレット上をタップしたり、なぞることによって、タブレットの電気抵抗の変化をＡ／Ｄコンバータで座標値に変換することにより、設定地点やメモ情報を座標値、図形、テキストとして入力させる入力手段１３ｃ（上記参考例１と同じ）と、地図や最寄りの設定地点やメモ情報を記憶する記憶手段１４ｃと、ブザーやＬＥＤや振動部材などで構成され、音や光や振動などを発生して利用者の注意を喚起する報知手段１５（上記参考例１と同じ）と、上記実施形態２と同じ通信手段１７と、これら各手段の動作を制御する制御手段１６ｃとを少なくとも含んで構成される。その他の機能ブロックとしては、例えばキーや電池などを含んでいてもよいが、これらの機能ブロックの動作は本参考例２においては重要ではないので、ここでは図示を省略している。
【００５７】
図１０は、サーバに送信される所在地データベースの検索要求のデータ例を示す図表である。すなわち、利用者から入力された対象物の名称と、検索範囲の左上点の経緯度と、右下点の経緯度とを要素として持っている。例えば、対象物の名称として「ポスト」という情報、検索範囲として、東経１４０．００００度から１４０．０１００度まで、北緯３５．０５０から３５．０６０までという情報を含んでいる。
【００５８】
図１１は、所在地データベースに登録されたデータの例を示す図表である。すなわち、対象物の名称として「ポスト」、所在地として東経１４０．００４０、北緯３５．０５４度という情報が含まれる。
【００５９】
図１２は、サーバから受け取る検索結果のデータ構造を示す図表である。この例では、結果として得られた対象物の個数である３、名称「ポスト」とそれぞれの経緯度が含まれる。
【００６０】
図１３は、対象物に接近したか判定し、接近したと判定された場合の表示処理を説明するためのフローチャートである。以下、図１３に示すフローチャートを参照して処理手順を説明する。
【００６１】
ステップＳ３１では、現在位置取得手段１１によって現在位置を取得し、ステップＳ３２では、取得できたかを調べる。その結果、現在位置を取得できなかった場合（ステップＳ３２でＮｏと判断された場合）には、ステップＳ３１に戻る。一方、現在位置を取得できた場合（ステップＳ３２でＹｅｓと判断された場合）には、ステップＳ３３へと動作を進めて、検索範囲を外れたかを調べる。
【００６２】
その結果、検索範囲を外れていれば（ステップＳ３３でＹｅｓと判断されれば）ステップＳ３４へと動作を進め、検索範囲を外れていなければ（ステップＳ３３でＮｏと判断されれば）ステップＳ３５へと動作を進める。
【００６３】
ステップＳ３４では、新しい検索範囲でサーバの所在地データベースを検索し、ステップＳ３５では、検索で得られた対象物の経緯度などの設定値を取得する。次のステップＳ３６では、設定値が取得できたかを調べ、すべての設定値を取り出し終わってそれ以上取り出せなかった場合には、処理を終了する。
【００６４】
一方、設定値を取得できた場合（ステップＳ３６でＹｅｓと判断された場合）にはステップＳ３７ヘと動作を進め、現在位置と設定地点との距離が、閾値以下であるかを調べる。その結果、閾値より大きければステップＳ３５に戻り、閾値以下ならステップＳ３８へと動作を進める。そして、ステップＳ３８では、現在位置が設定地点に接近したことをＬＥＤとブザー（振動も含む）で利用者に報知し、記憶手段１４ｃからメモ情報を取り出してメモの型に応じて表示手段１２に表示し、ステップＳ３５に戻る。
【００６５】
本参考例２の携帯情報端末１０ｃによれば、例えば、ポストに郵便物を投函するという作業項目があるときに、利用者が、図１６に示すようにポストという名称と「郵便物を投函」というメモ情報とを記憶手段１４ｃに登録すると、携帯情報端末１０ｃは、通信手段１７を使ってサーバの所在地データベースを検索して、現在地付近のポストの経緯度を取得する。そして、現在位置取得手段１１で得た現在位置の経緯度との距離を算出し、最も近いポストが所定の閾値内の距離に近づいたとき、ブザーとＬＥＤで利用者に報知するとともに、現在地点の地図を表示し、図１７に示すように、最も近いポストの位置を示すマークと「郵便物を投函」というメモ情報を表示することにより、利用者に作業項目を報知することができる。
【００６７】
本発明によれば、特定の設定地点に関連するメモ情報を記憶手段に記憶しておき、制御手段は、現在位置取得手段により取得される現在位置と記憶手段に記憶されている設定地点とを比較し、現在位置が設定地点に近づいたと判定した後、さらに現在位置が設定地点から離れたと判定した場合に、その離れた時点で報知手段より離れたことを知らせる報知を行うように構成している。このように、特定の地点に接近した後、離れたときに利用者に報知することにより、作業項目を利用者に確実に思い出させることができる。
【００６９】
また、本発明によれば、特定の設定地点に関連するメモ情報を記憶手段に記憶しておき、制御手段は、現在位置取得手段により取得される現在位置と記憶手段に記憶されている設定地点とを比較し、現在位置が設定地点に近づいたと判定した後、さらに現在位置が設定地点から離れたと判定した場合に、その離れた時点で記憶手段に記憶されているメモ情報を通信手段より通信端末装置に送信するように構成している。これにより、特定の地点に接近した後、離れたときに、利用者の操作を要せずして、自動的にメモ情報を特定の通信端末装置に送信することができる。
【００７０】
また、本発明によれば、制御手段は、現在位置が設定地点に接近または離れたと判定した場合に、その報知とメモ情報の表示、またはメモ情報の送信を行うようにしたので、地点を特定できなくても、名称を指定してやることで、その場所あるいは最寄りの設備に接近または離れた場合に、作業項目を表示したり、メモ情報を送信することができる。
【図面の簡単な説明】
【図１】  本参考例１の携帯情報端末の電気的構成を示すブロック図である。
【図２】  地図のデータ構造と地図データの例を示す図表である。
【図３】  利用者が入力画面上の１点をタップして設定地点を指定したときに、画面上の座標値から、当該地点の経緯度を算出する方法を表した概念図である。
【図４】  設定値のデータ構造を表す図表である。
【図５】  接近判定をして近づいたと判定したときに報知してメモ情報を表示する処理を説明するためのフローチャートである。
【図６】  本実施形態の携帯情報端末の電気的構成を示すブロック図である。
【図７】  記憶手段に記憶する設定値のデータの例を示す図表である。
【図８】  設定地点に近づいたと判定した後で、離れたと判定したときにメモ情報を送信する処理を説明するためのフローチャートである。
【図９】  本参考例２の携帯情報端末の電気的構成を示すブロック図である。
【図１０】  サーバに送信される所在地データベースの検索要求のデータ例を示す図表である。
【図１１】  所在地データベースに登録されたデータの例を示す図表である。
【図１２】  サーバから受け取る検索結果のデータ構造を示す図表である。
【図１３】  対象物に接近したか判定し、接近したと判定された場合の表示処理を説明するためのフローチャートである。
【図１４】  特定の地点と、その地点に関連するメモ情報とを入力する画面例を示す説明図である。
【図１５】  本発明の携帯情報端末の使用例を示す説明図である。
【図１６】  特定の地点と、その地点に関連するメモ情報とを入力する画面例を示す説明図である。
【図１７】  本発明の携帯情報端末の使用例を示す説明図である。
【符号の説明】
１０ａ、１０ｂ、１０ｃ  携帯情報端末
１１  現在位置取得手段
１２  表示手段
１３ａ、１３ｂ、１３ｃ  入力手段
１４ａ、１４ｂ、１４ｃ  記憶手段
１５  報知手段
１６ａ、１６ｂ、１６ｃ  制御手段
１７  通信手段
【図１】
0004656757.tif 000002
【図２】
0004656757.tif 000003
【図３】
0004656757.tif 000004
【図４】
0004656757.tif 000005
【図５】
0004656757.tif 000006
【図６】
0004656757.tif 000007
【図７】
0004656757.tif 000008
【図８】
0004656757.tif 000009
【図９】
0004656757.tif 000010
【図１０】
0004656757.tif 000011
【図１１】
0004656757.tif 000012
【図１２】
0004656757.tif 000013
【図１３】
0004656757.tif 000014
【図１４】
0004656757.tif 000015
【図１５】
0004656757.tif 000016
【図１６】
0004656757.tif 000017
【図１７】
0004656757.tif 000018